(57)【要約】      （修正有）【課題】安全で効率的な橋脚撤去工法の提供。【解決手段】ワイヤーソーでブロック状に切断して橋脚を撤去する工法であって、前記橋脚に縦孔４、５を削孔する工程と、縦孔４を横断するように柱部３を水平切断する工程と、縦孔４にゲビンデ鋼棒を挿入して水平切断された柱部３を仮固定する工程と、縦孔５を横断するようにフーチング部２を水平切断する工程と、縦孔３に前記ゲビンデ鋼棒を挿入して水平切断されたフーチング部２を仮固定する工程による。【選択図】図３
2018115444.tif 000002
【特許請求の範囲】
【請求項１】
橋脚をワイヤーソーでブロック状に切断して撤去する橋脚の撤去工法であって、
前記橋脚に縦孔を削孔する工程と、
前記縦孔を横断するように前記橋脚を水平切断する工程と、
前記縦孔にＰＣ鋼棒を挿入して前記水平切断された上下の橋脚を仮固定する工程と、
を含むことを特徴とする橋脚の撤去工法。
【請求項２】
前記橋脚を垂直切断する工程と、
前記垂直された左右の橋脚を連結プレートで連結して仮固定する工程と、
を含むことを特徴とする請求項１記載の橋脚の撤去工法。
【請求項３】
前記橋脚の垂直切断面は、側面視で垂直方向に対して傾斜していることを特徴とする請求項２記載の橋脚の撤去工法。
【請求項４】
前記水平切断と垂直切断とを交互に行うことを特徴とする請求項２又は３記載の橋脚の撤去工法。
【請求項５】
前記橋脚の上部に橋桁が載置された状態で前記水平切断及び垂直切断を行うことを特徴とする請求項２乃至４の何れか１項記載の橋脚の撤去工法。
【請求項６】
前記橋脚の水平切断及び垂直切断を終えて仮固定をした状態で、前記橋桁を撤去することを特徴とする請求項５記載の橋脚の撤去工法。
【発明の詳細な説明】
【技術分野】
【０００１】
本発明は、橋脚の撤去工法に関し、特に、ワイヤーソーを用いて橋脚をブロック状に切断して撤去する橋脚の撤去工法に関する。
【背景技術】
【０００２】
従来より、橋脚の上部にワイヤーソーを設置し、所定の張力を維持した状態でワイヤーソーを駆動し、橋脚をブロック状に切断してコンクリート片を撤去する橋脚の撤去工法が知られている（例えば、特許文献１参照）。
【０００３】
上述した橋脚の撤去工法では、ワイヤーソーで橋脚を水平方向に切断した後に、橋脚を垂直方向に切断し、ブロック状に切断されたコンクリート塊を撤去する。この工法では、水平方向の切断の進行に合わせて切断面に楔を挿入することにより、切断時のワイヤーソーにかかる橋脚の動力を減少している。
【先行技術文献】
【特許文献】
【０００４】
【特許文献１】特開平５−１４１１０６号公報
【発明の概要】
【発明が解決しようとする課題】
【０００５】
しかしながら、特許文献１記載の橋脚の撤去工法では、水平切断された橋脚を楔で仮固定するものであり、撤去工事中に崩壊する虞があった。また、橋脚から切り出されたコンクリート片を逐次撤去するため、撤去工事に長時間を要するという問題があった。
【０００６】
そこで、安全かつ効率的に橋脚を撤去するという解決すべき技術的課題が生じてくるのであり、本発明は、この課題を解決することを目的とする。
【課題を解決するための手段】
【０００７】
本発明は上記目的を達成するために提案されたものであり、請求項１記載の発明は、橋脚をワイヤーソーでブロック状に切断して撤去する橋脚の撤去工法であって、前記橋脚に縦孔を削孔する工程と、前記縦孔を横断するように前記橋脚を水平切断する工程と、前記縦孔にＰＣ鋼棒を挿入して前記水平切断された上下の橋脚を仮固定する工程と、を含む橋脚の撤去工法を提供する。
【０００８】
この構成によれば、橋脚の縦孔に挿入されたＰＣ鋼棒が上下に切断されたブロックを仮固定することにより、橋脚の切断を終えた後にブロック毎に撤去可能なため、橋脚を効率的に撤去することができる。
【０００９】
請求項２記載の発明は、請求項１記載の発明の構成に加えて、前記橋脚を垂直切断する工程と、前記垂直された左右の橋脚を連結プレートで連結して仮固定する工程と、を含む橋脚の撤去工法を提供する。
【００１０】
この構成によれば、連結プレートが左右に切断されたブロックを仮固定することにより、橋脚を上下左右に細かく切断可能なため、橋脚を効率的に撤去することができる。
【００１１】
請求項３記載の発明は、請求項２記載の発明の構成に加えて、前記橋脚の垂直切断面は、側面視で垂直方向に対して傾斜している橋脚の撤去工法を提供する。
【００１２】
この構成によれば、垂直方向に向かって狭幅に形成されたブロックが、隣り合う垂直方向に向かって拡幅に形成されたブロックに支持されることにより、垂直方向に向かって狭幅に形成されたブロックの落ち込みを抑制することができる。
【００１３】
請求項４記載の発明は、請求項2又は３記載の発明の構成に加えて、前記水平切断と垂直切断とを交互に行う橋脚の撤去工法を提供する。
【００１４】
この構成によれば、橋脚の上方から下方に向かってバランス良く橋脚を細かく切断することができる。
【００１５】
請求項５記載の発明は、請求項２乃至４の何れか１項記載の発明の構成に加えて、前記橋脚の上部に橋桁が載置された状態で前記水平切断及び垂直切断を行う橋脚の撤去工法を提供する。
【００１６】
この構成によれば、ワイヤーソーを橋桁上に設置して、ワイヤーを吊り下げる様にして橋脚を切断することができるため、橋脚の切断を安定して行うことができる。
【００１７】
請求項６記載の発明は、請求項５記載の発明の構成に加えて、前記橋脚の水平切断及び垂直切断を終えて仮固定をした状態で、前記橋桁を撤去する橋脚の撤去工法を提供する。
【００１８】
この構成によれば、重機を要する橋桁の撤去と切断された橋脚の撤去を連続して行うことができるため、重機の稼動期間を短くすることができる。
【発明の効果】
【００１９】
本発明は、橋脚の縦孔に挿入されたＰＣ鋼棒が上下に切断されたブロックを仮固定することにより、橋脚の切断を終えた後にブロック毎に撤去可能なため、橋脚を効率的に撤去することができる。
【図面の簡単な説明】
【００２０】
【図１】本発明の一実施例に係る撤去工法を適用する橋脚を模式的に示す図。
【図２】撤去工法の手順を示すフローチャート。
【図３】橋脚に削孔する縦孔の位置を示す平面図及び正面図。
【図４】水平切断面及び垂直切断面の位置を示す橋脚の模式図。
【図５】エンドアンカーを示す正面図及び縦断面図。
【図６】図６のエンドアンカーにゲビンデ鋼棒を螺合させる様子を示す模式図。
【図７】エンドアンカーの変形例を示す正面図及び縦断面図。
【図８】図７のエンドアンカーにゲビンデ鋼棒を螺合させる様子を示す模式図。
【発明を実施するための形態】
【００２１】
本発明は、安全かつ効率的に橋脚を撤去するという目的を達成するために、橋脚をワイヤーソーでブロック状に切断して撤去する橋脚の撤去工法であって、橋脚に縦孔を削孔する工程と、縦孔を横断するように橋脚を水平切断する工程と、縦孔にＰＣ鋼棒を挿入して水平切断された上下の橋脚を仮固定する工程と、を含むことにより実現する。
【実施例】
【００２２】
以下、本発明の一実施例に係る撤去工法を適用する橋脚１を図面に基づいて説明する。なお、以下の実施例において、構成要素の数、数値、量、範囲等に言及する場合、特に明示した場合及び原理的に明らかに特定の数に限定される場合を除き、その特定の数に限定されるものではなく、特定の数以上でも以下でも構わない。
【００２３】
また、構成要素等の形状、位置関係に言及するときは、特に明示した場合及び原理的に明らかにそうでないと考えられる場合等を除き、実質的にその形状等に近似又は類似するもの等を含む。
【００２４】
また、図面は、特徴を分かり易くするために、特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。
【００２５】
図１は、橋脚１を示す模式図であり、（ａ）は平面図であり、（ｂ）は正面図であり、（ｃ）は側面図である。橋脚１には、図示しない橋桁が上方に載置されており、橋を構成している。橋脚１は、コンクリート製であり、内部に鉄筋が配筋されている。橋脚１は、フーチング部２と、柱部３と、を備えている。
【００２６】
フーチング部２は、河川等に立設されており、その下端は河床に埋設されている。フーチング部２は、楕円柱状に形成されている。
【００２７】
柱部３は、フーチング部２に載置されており、橋桁を支持する。柱部３が橋桁を支持する支持面３ａは、平面から視てフーチング部２より小さく形成されている。柱部３は、正面から視て門型に形成されている。
【００２８】
次に、橋脚１を撤去する工法について説明する。図２は、撤去工法の手順を示すフローチャートである。図３（ａ）は、縦孔４、５の位置を示す平面図であり、図３（ｂ）は、縦孔４、５の位置を示す正面図である。図４は、橋脚１の水平切断面Ｈ１、２及び垂直切断面Ｖ１、２を示す橋脚１の正面図である。図５は、エンドアンカー６を示す図であり、（ａ）は正面図であり、（ｂ）は縦断面図である。図６（ａ）〜（ｃ）は、エンドアンカー６にゲビンデ鋼棒を螺合させる様子を示す模式図である。
【００２９】
施工を行うにあたり、橋桁１上に図示しないワイヤーソーを設置する。ワイヤーソーは、公知の構成であり、ワイヤーに付着したダイヤモンド粒等の粒子によって、橋脚１を内部の鉄筋と共に切断する。また、橋脚１の周囲には、作業に必要な足場を予め設けておく。
【００３０】
次に、フーチング部２に縦孔４を削孔し、柱部３に縦孔５を削孔する（工程Ｓ１）。フーチング部２には、６つの縦孔４が設けられる。縦孔４は、フーチング部２の上端から下端に亘って延伸されている。柱部３には、４つの縦孔５が設けられる。縦孔５は、柱部３の上端からフーチング部２の上部に亘って延伸されている。
【００３１】
次に、縦孔５に図示しないゲビンデ鋼棒（ＰＣ鋼棒）を挿通する（工程Ｓ２）。なお、ゲビンデ鋼棒の下端が後述する水平切断面Ｈ１より上方に位置するように、ゲビンデ鋼棒は仮固定される。
【００３２】
そして、柱部３を垂直切断面Ｖ１に沿って３分割する（工程Ｓ３）。その後、垂直切断後の柱部３の側方ブロックＡ及び中央ブロックＢは、図示しない連結プレートで緊結される（工程Ｓ４）。なお、連結プレートは、ブロック同士の相対的な位置ズレを一時的に抑制するものであれば、如何なる構成であっても構わない。垂直切断面Ｖ１は、上方から下方に向かって柱部３の内側に向かって傾斜するように設定されている。これにより、切断直後に中央ブロックＢが下方に向かって狭幅に形成され、左右の下方に向かって拡幅に形成された側方ブロックＡに支持されるため、中央ブロックＢの落下が抑制される。なお、工程Ｓ２、Ｓ３は、何れが先に実行されても構わない。
【００３３】
次に、水平切断面Ｈ１に沿って柱部３を切断する（工程Ｓ５）。その後、上下に分断された側方ブロックＡのブロック片ａ１、ａ２は、縦孔５に挿通されたゲビンデ鋼棒を継ぎ足して緊張することで仮固定される（工程Ｓ６）。なお、延長されたゲビンデ鋼棒の下端は、柱部３の下端より上方に配置される。
【００３４】
次に、フーチング部２を垂直断面Ｖ２、Ｖ３に沿って４分割する（工程Ｓ７）。垂直切断後のフーチング部２の側方ブロックＣ及び中央ブロックＤは、図示しない連結プレートで緊結される（工程Ｓ８）。垂直切断面Ｖ２は、垂直方向に対してフーチング部２の内側に向かって傾斜するように設定されている。これにより、後述するブロック片ｃ１〜３、ブロック片ｄ１〜３を上から順に撤去することができる。
【００３５】
次に、フーチング部２を水平断面Ｈ２、Ｈ３に沿って切断する（工程Ｓ９）。そして、上下に分断された側方ブロックＣ及び中央ブロックＤを縦孔４に挿通されたゲビンデ鋼棒を継ぎ足して緊張することで仮固定する（工程Ｓ１０）。
【００３６】
具体的には、まず、水平断面Ｈ２に沿ってフーチング部２を切断した後に、上下に分断された側方ブロックＣと中央ブロックＤを縦孔４に挿通されたゲビンデ鋼棒を継ぎ足して緊張し、その後、水平断面Ｈ３に沿ってフーチング部２を切断した後に、上下に分断された側方ブロックＣと中央ブロックＤを縦孔４に挿通されたゲビンデ鋼棒を継ぎ足して緊張する。これにより、側方ブロックＣのブロック片ｃ１〜３及び中央ブロックＤのブロック片ｄ１〜３が互いに仮固定される。
【００３７】
縦孔４内には、図５（ａ）、（ｂ）に示すエンドアンカー６が設置されている。エンドアンカー６は、略円筒状に形成されており、ゲビンデ鋼棒に螺合可能な孔６ａを備えている。エンドアンカー６は、下部にスリット６ｂによって短冊状に形成された脚部６ｃを備えている。孔６ａの内部には、円錐台形状のクサビ６ｄが収容されている。
【００３８】
図６（ａ）に示すように、エンドアンカー６は縦孔４の下端に設置されている。図６（ｂ）に示すように、エンドアンカー６の孔６ａにゲビンデ鋼棒が螺進して、図６（ｃ）に示すように、ゲビンデ鋼棒の下端がクサビ６ｄに当接すると、スリット６ｂが設けられた分だけ剛性が低くなった脚部６ｃが外周に向かって開き縦孔４に当接することにより、ゲビンデ鋼棒の下端が縦孔４に対して固定される。
【００３９】
また、エンドアンカー６は、図７に示すような構成であっても構わない。図７は、エンドアンカー６の変形例を示す図であり、（ａ）は正面図であり、（ｂ）は縦断面図である。エンドアンカー６は、上述した構成に加えて、クサビ収容孔６ｅを備えている。クサビ収容孔６ｅは、下方に向かって漸次縮径する円錐台形状に形成されている。なお、符号６ｆは、エンドアンカー６の上部を挿通するケーシングである。
【００４０】
このように形成されたエンドアンカー６は、図８（ａ）に示すように縦孔４の下端に設置されている。図８（ｂ）に示すように、エンドアンカー６の孔６ａにゲビンデ鋼棒が螺進して、図８（ｃ）に示すように、ゲビンデ鋼棒の下端がクサビ６ｄに当接すると、クサビ６ｄがクサビ収容孔６ｅ内を下方に向かって押し進められる。そして、スリット６ｂが設けられた分だけ剛性が低くなった脚部６ｃが外周に向かって開き縦孔４に当接することにより、ゲビンデ鋼棒の下端が縦孔４に対して固定される。
【００４１】
次に、フーチング部２と柱部３との接合面である水平切断面Ｈ４に沿って橋脚１を切断し、フーチング部２と柱部３とを分離する（工程Ｓ１１）。上下に分離されたフーチング部２と柱部３とは、ゲビンデ鋼棒の下端がフーチング部２に達するまで、縦孔５に挿通されたゲビンデ鋼棒を継ぎ足し、ゲビンデ鋼棒の上端が支圧板に固定されることにより、仮固定される。
【００４２】
上述した工程Ｓ１〜Ｓ１１によって、橋桁を載置した状態で橋脚１を複数のブロック状に細かく切断すると共に、各ブロックをゲビンデ鋼棒及び連結プレートによって仮固定することができる。
【００４３】
次に、橋脚１に載置された橋桁を撤去する（工程Ｓ１２）。その後、柱部３、フーチング部２の順にブロックを撤去する（工程Ｓ１３、Ｓ１４）。
【００４４】
具体的には、柱部３は、中央ブロックＢ、ブロック片ａ１、ブロック片ａ２の順に撤去される。また、フーチング部２は、ブロック片ｃ１、ブロック片ｃ２、ブロック片ｄ１、ブロック片ｄ２、ブロック片ｃ３、ブロック片ｄ３の順に撤去される。ブロックを撤去する際には、ブロックをクレーン等で吊り下げた状態でブロック同士を連結している連結プレート及びゲビンデ鋼棒を撤去する。
【００４５】
このようにして、本発明は、橋脚１の縦孔３、４に挿入されたゲビンデ鋼棒が上下に切断されたブロックを仮固定することにより、橋脚１の切断を終えた後にブロック毎に撤去可能なため、橋脚１を効率的に撤去することができる。
【００４６】
また、連結プレートが左右に切断されたブロックを仮固定することにより、橋脚１を上下左右に細かく切断可能なため、橋脚１を効率的に撤去することができる。
【００４７】
さらに、橋桁を載置した状態で橋脚１をブロック状に切断し、ブロック同士を仮固定することにより、橋桁の撤去及び橋脚の撤去時に重機をそれぞれ導入する必要がなく、橋桁の撤去及び橋脚の撤去に要する重機の稼動時間を少なくすることができる。
【００４８】
なお、本発明は、本発明の精神を逸脱しない限り種々の改変をなすことができ、そして、本発明が該改変されたものにも及ぶことは当然である。
【符号の説明】
【００４９】
１  ・・・  橋脚
２  ・・・  フーチング部
３  ・・・  柱部
４  ・・・  縦孔
５  ・・・  縦孔
６  ・・・  エンドアンカー
【図１】
2018115444.tif 000003
【図２】
2018115444.tif 000004
【図３】
2018115444.tif 000005
【図４】
2018115444.tif 000006
【図５】
2018115444.tif 000007
【図６】
2018115444.tif 000008
【図７】
2018115444.tif 000009
【図８】
2018115444.tif 000010